(57)【特許請求の範囲】
【請求項１】
光学像を電気信号に変換する撮像手段を有する撮像装置であって、
所定の方向へ操作することにより、前記撮像装置の電源投入を指示する電源スイッチと、
前記電源スイッチにより前記撮像装置の電源が投入された後であって、第１の動作モードの状態で、前記撮像装置の電源投入を指示する動作がなされた場合に、前記第１の動作モードと異なる第２の動作モードに切り替わるように制御する制御手段と、
を有することを特徴とする撮像装置。
【請求項２】
前記制御手段は、前記撮像装置の電源が投入された後の、前記第１および第２の動作モードと異なる第３の動作モードの状態で、前記撮像装置の電源投入を指示する動作がなされた場合に、前記第１の動作モードに切り替わるように制御することを特徴とする請求項１に記載の撮像装置。
【請求項３】
前記制御手段は、前記撮像装置の電源が投入された後であって、第２の動作モードの状態で、前記撮像装置の電源投入を指示する動作がなされた場合に、前記第１の動作モードに切り替わるように制御することを特徴とする請求項１に記載の撮像装置。
【請求項４】
光学像を電気信号に変換する撮像手段を有する撮像装置であって、
所定の方向へ操作することにより、前記撮像装置の電源投入を指示する電源スイッチと、
前記撮像装置の電源が投入された後であって、前記撮像装置の電源投入を指示する動作がなされ、前記撮像装置の電源投入を指示する動作時間が第１の時間以内である場合には、前記第1の動作モードに切り替わり、前記撮像装置の電源投入を指示する動作時間が前記第１の時間より長く、第２の時間以内である場合には、前記第１の動作モードと異なる前記第２の動作モードに切り替わるように制御する制御手段と、
を有することを特徴とする撮像装置。
【請求項５】
光学像を電気信号に変換する撮像手段を有する撮像装置であって、
所定の方向へ操作することにより、前記撮像装置の電源投入を指示する電源スイッチと、
前記撮像装置の電源が投入された後であって、前記撮像装置の電源投入を指示する動作がなされ、前記撮像装置の電源投入を指示する動作の回数が、第１の回数の場合には、前記第1の動作モードに切り替わり、前記撮像装置の電源投入を指示する動作の回数が、前記第１の回数と異なる第２の回数である場合には、前記第１の動作モードと異なる前記第２の動作モードに切り替わるように制御する制御手段と、
を有することを特徴とする撮像装置。
【請求項６】
前記第１の動作モードは、静止画を記録する静止画記録モードであり、前記第２の動作モードは、動画を記録する動画記録モードであることを特徴とする請求項１乃至５のいずれか１項に記載の撮像装置。
【請求項７】
前記第１の動作モードは、画像を記録する記録モードであり、前記第２の動作モードは、記録した画像を画像表示部に表示する再生モードであることを特徴とする請求項１乃至５のいずれか１項に記載の撮像装置。
【請求項８】
前記第１の動作モードは、記録した画像を画像表示部に表示する再生モードであり、前記第２のモードは、ＰＣ接続モードであることを特徴とする請求項１乃至５のいずれか１項に記載の撮像装置。
【請求項９】
前記制御手段は、前記静止画記録モードから前記動画記録モードへと切り替わる際に、切り替わる前の静止画記録モードの種類を記録手段に記録し、前記動画記録モードから前記静止画記録モードへと切り替わる際は、前記記憶手段に記憶しておいた種類の静止画記録モードへと切り替わるように制御することを特徴とする請求項６に記載の撮像装置。
【請求項１０】
前記制御手段は、前記記録モードから前記再生モードへと切り替わる際に、切り替わる前の記録モードの種類を記録手段に記録し、前記再生モードから前記記録モードへと切り替わる際は、前記記憶手段に記憶しておいた種類の記録モードへと切り替わるように制御することを特徴とする請求項７に記載の撮像装置。
【請求項１１】
複数の動作モードを有し、電源投入を指示するための電源スイッチを備え、前記複数の動作モードのうち、一つの動作モードで動作中に、前記電源スイッチを電源投入方向へ操作することで、前記複数の動作モードのうち、別の動作モードへと動作モードが切り替わる撮像装置において、
前記電源スイッチを電源投入方向へ操作することで動作モードを切り替える際に、電源スイッチを電源投入方向へ保持する時間に応じて、切り替える動作モードを選択する動作モード選択手段を設けたことを特徴とする撮像装置。
【請求項１２】
前記電源スイッチを電源投入方向へ操作することで動作モードを切り替える際に、前記電源スイッチを電源投入方向へ保持する時間に対応する動作モードを指定するための動作モード指定手段を設けたことを特徴とする請求項１１に記載の撮像装置。
【請求項１３】
前記電源スイッチを電源投入方向へ操作することで動作モードを切り替える際に、電源スイッチを電源投入方向へ保持する時間に対応する動作モードをアイコンや文字等で簡易表示する動作モード表示制御手段を設け、ユーザーが動作モードを実際に動切り替える前に、次に切り替える動作モードを表示画面で確認しながら、動作モードを選択できるようにしたことを特徴とする請求項１２に記載の撮像装置。
【請求項１４】
複数の動作モードを有し、電源投入を指示するための電源スイッチを備え、前記複数の動作モードのうち、一つの動作モードで動作中に、前記電源スイッチを電源投入方向へ操作することで、前記複数の動作モードのうち、別の動作モードへと動作モードが切り替わる撮像装置において、
前記電源スイッチを電源投入方向へ操作することで動作モードを切り替える際に、前記電源スイッチを一定時間以上空けずに、電源投入方向へ連続して操作する回数に応じて、切り替える動作モードを選択する動作モード選択手段を設けたことを特徴とする撮像装置。
【請求項１５】
前記電源スイッチを電源投入方向へ操作することで動作モードを切り替える際に、前記前記スイッチを一定時間以上空けずに、電源投入方向へ連続して操作する回数に対応する動作モードを指定するための動作モード指定手段を設けたことを特徴とする請求項１４に記載の撮像装置。
【請求項１６】
前記電源スイッチを電源投入方向へ操作することで動作モードを切り替える際に、前記電源スイッチを一定時間以上空けずに、電源投入方向へ連続して操作する回数に対応する動作モードをアイコンや文字等で表示する動作モード表示制御手段を設け、ユーザーが動作モードを実際に切り替える前に、次に切り替える動作モードを表示画面で確認しながら、動作モードを選択できるようにしたことを特徴とする請求項１５に記載の撮像装置。
【発明の詳細な説明】
【０００１】
【発明の属する技術分野】
本発明は撮像装置に関し、特に、撮像した画像データを記録媒体に格納する記録モードや、記録媒体に格納されている画像データを表示する再生モード等の、複数の動作モードを有する撮像装置に関する。
【０００２】
【従来の技術】
従来、撮像した画像データを記録媒体に格納する記録モードや、記録媒体に格納されている画像データを表示する再生モード等の、複数の動作モードを有する撮像装置が既に市販されている。
【０００３】
それらの撮像装置は、動作モードを切り替える際に、電源スイッチとは別に設けられたそれぞれの動作モードに対して一つのポジションが割り当てられたモード切り替え用のダイアルを設けたり、スライドスイッチを操作したりする方法や、動作モード切り替え用ボタンを操作する方法、動作モード切り替えメニューを表示し、メニューの中から動作モードを選択する方法等の切り替え方法等により、動作モードの切り替えを行っている。
【０００４】
【発明が解決しようとする課題】
前述のような、複数の動作モードを有する従来の撮像装置においては、動作モード切り替え用に専用の操作部材を用意する必要があり、撮像装置のコストアップにつながっていた。
【０００５】
また、操作部材が増えることで操作方法が分かりにくくなるという問題や、暗所ではダイアルやスイッチのポジションの確認が困難であるという問題があった。また、複数の回転位置を有するダイアル式の動作モード切り替え用スイッチで、その複数の回転位置の１つに電源スイッチのOFF位置があるような撮像装置については、動作モード切り替えを行う際に誤って電源を切断してしまうことがあった。このような場合、電源の再投入が完了するまでに時間がかかり、シャッターチャンスを逃すなどの問題もあった。
【０００６】
本発明は前述の問題点にかんがみてなされたもので、複数の動作モードを有する撮像装置の動作モード切り替えにおいて、操作部材の点数を最小限に押さえるとともに、操作方法を簡略化することで、簡単でかつ確実に動作モードの切り替えを行うことができるようにすることを目的とする。
【０００７】
【課題を解決するための手段】
本発明の撮像装置の特徴とするところは、光学像を電気信号に変換する撮像手段を有する撮像装置であって、所定の方向へ操作することにより、前記撮像装置の電源投入を指示する電源スイッチと、前記電源スイッチにより前記撮像装置の電源が投入された後であって、第１の動作モードの状態で、前記撮像装置の電源投入を指示する動作がなされた場合に、前記第１の動作モードと異なる第２の動作モードに切り替わるように制御する制御手段とを有することを特徴としている。
また、本発明の撮像装置の他の特徴とするところは、前記制御手段は、前記撮像装置の電源が投入された後の、前記第１および第２の動作モードと異なる第３の動作モードの状態で、前記撮像装置の電源投入を指示する動作がなされた場合に、前記第１の動作モードに切り替わるように制御することを特徴としている。
また、本発明の撮像装置のその他の特徴とするところは、前記制御手段は、前記撮像装置の電源が投入された後であって、第２の動作モードの状態で、前記撮像装置の電源投入を指示する動作がなされた場合に、前記第１の動作モードに切り替わるように制御することを特徴としている。
また、本発明の撮像装置のその他の特徴とするところは、光学像を電気信号に変換する撮像手段を有する撮像装置であって、所定の方向へ操作することにより、前記撮像装置の電源投入を指示する電源スイッチと、前記撮像装置の電源が投入された後であって、前記撮像装置の電源投入を指示する動作がなされ、前記撮像装置の電源投入を指示する動作時間が第１の時間以内である場合には、前記第1の動作モードに切り替わり、前記撮像装置の電源投入を指示する動作時間が前記第１の時間より長く、第２の時間以内である場合には、前記第１の動作モードと異なる前記第２の動作モードに切り替わるように制御する制御手段とを有することを特徴としている。
また、本発明の撮像装置のその他の特徴とするところは、光学像を電気信号に変換する撮像手段を有する撮像装置であって、所定の方向へ操作することにより、前記撮像装置の電源投入を指示する電源スイッチと、前記撮像装置の電源が投入された後であって、前記撮像装置の電源投入を指示する動作がなされ、前記撮像装置の電源投入を指示する動作の回数が、第１の回数の場合には、前記第1の動作モードに切り替わり、前記撮像装置の電源投入を指示する動作の回数が、前記第１の回数と異なる第２の回数である場合には、前記第１の動作モードと異なる前記第２の動作モードに切り替わるように制御する制御手段とを有することを特徴としている。
また、本発明の撮像装置のその他の特徴とするところは、前記第１の動作モードは、静止画を記録する静止画記録モードであり、前記第２の動作モードは、動画を記録する動画記録モードであることを特徴としている。
また、本発明の撮像装置のその他の特徴とするところは、前記第１の動作モードは、画像を記録する記録モードであり、前記第２の動作モードは、記録した画像を画像表示部に表示する再生モードであることを特徴としている。
また、本発明の撮像装置のその他の特徴とするところは、前記第１の動作モードは、記録した画像を画像表示部に表示する再生モードであり、前記第２のモードは、ＰＣ接続モードであることを特徴としている。
また、本発明の撮像装置のその他の特徴とするところは、前記制御手段は、前記静止画記録モードから前記動画記録モードへと切り替わる際に、切り替わる前の静止画記録モードの種類を記録手段に記録し、前記動画記録モードから前記静止画記録モードへと切り替わる際は、前記記憶手段に記憶しておいた種類の静止画記録モードへと切り替わるように制御することを特徴としている。
また、本発明の撮像装置のその他の特徴とするところは、前記制御手段は、前記記録モードから前記再生モードへと切り替わる際に、切り替わる前の記録モードの種類を記録手段に記録し、前記再生モードから前記記録モードへと切り替わる際は、前記記憶手段に記憶しておいた種類の記録モードへと切り替わるように制御することを特徴としている。
また、本発明の撮像装置のその他の特徴とするところは、複数の動作モードを有し、電源投入を指示するための電源スイッチを備え、前記複数の動作モードのうち、一つの動作モードで動作中に、前記電源スイッチを電源投入方向へ操作することで、前記複数の動作モードのうち、別の動作モードへと動作モードが切り替わる撮像装置において、前記電源スイッチを電源投入方向へ操作することで動作モードを切り替える際に、電源スイッチを電源投入方向へ保持する時間に応じて、切り替える動作モードを選択する動作モード選択手段を設けたことを特徴としている。
また、本発明の撮像装置のその他の特徴とするところは、前記電源スイッチを電源投入方向へ操作することで動作モードを切り替える際に、前記電源スイッチを電源投入方向へ保持する時間に対応する動作モードを指定するための動作モード指定手段を設けたことを特徴としている。
また、本発明の撮像装置のその他の特徴とするところは、前記電源スイッチを電源投入方向へ操作することで動作モードを切り替える際に、電源スイッチを電源投入方向へ保持する時間に対応する動作モードをアイコンや文字等で簡易表示する動作モード表示制御手段を設け、ユーザーが動作モードを実際に動切り替える前に、次に切り替える動作モードを表示画面で確認しながら、動作モードを選択できるようにしたことを特徴としている。
また、本発明の撮像装置のその他の特徴とするところは、複数の動作モードを有し、電源投入を指示するための電源スイッチを備え、前記複数の動作モードのうち、一つの動作モードで動作中に、前記電源スイッチを電源投入方向へ操作することで、前記複数の動作モードのうち、別の動作モードへと動作モードが切り替わる撮像装置において、前記電源スイッチを電源投入方向へ操作することで動作モードを切り替える際に、前記電源スイッチを一定時間以上空けずに、電源投入方向へ連続して操作する回数に応じて、切り替える動作モードを選択する動作モード選択手段を設けたことを特徴としている。
また、本発明の撮像装置のその他の特徴とするところは、前記電源スイッチを電源投入方向へ操作することで動作モードを切り替える際に、前記前記スイッチを一定時間以上空けずに、電源投入方向へ連続して操作する回数に対応する動作モードを指定するための動作モード指定手段を設けたことを特徴としている。
また、本発明の撮像装置のその他の特徴とするところは、前記電源スイッチを電源投入方向へ操作することで動作モードを切り替える際に、前記電源スイッチを一定時間以上空けずに、電源投入方向へ連続して操作する回数に対応する動作モードをアイコンや文字等で表示する動作モード表示制御手段を設け、ユーザーが動作モードを実際に切り替える前に、次に切り替える動作モードを表示画面で確認しながら、動作モードを選択できるようにしたことを特徴としている。
【０００８】
【発明の実施の形態】
次に、添付図面を参照しながら本発明の撮像装置の実施の形態について説明する。
図１は、本発明に係る撮像装置の実施の形態を示すブロック図である。図１において、１００は撮像装置である。１０は撮影レンズ、１２は絞り機能を備えるシャッター、１４は光学像を電気信号に変換する撮像素子、１６は撮像素子１４のアナログ信号出力をディジタル信号に変換するＡ／Ｄ変換器である。
【０００９】
１８は撮像素子１４、Ａ／Ｄ変換器１６、Ｄ／Ａ変換器２６にクロック信号や制御信号を供給するタイミング発生回路であり、メモリ制御回路２２及びシステム制御回路５０により制御される。
【００１０】
２０は画像処理回路であり、Ａ／Ｄ変換器１６からのデータ或いはメモリ制御回路２２からのデータに対して所定の画素補間処理や色変換処理を行う。また、画像処理回路２０においては、撮像した画像データを用いて所定の演算処理を行い、得られた演算結果に基づいてシステム制御回路５０が露光制御手段４０、測距制御手段４２に対して制御を行う、TTL（スルー・ザ・レンズ）方式のAF（オートフォーカス）処理、AE（自動露出）処理、ＥＦ（フラッシュプリ発光）処理を行っている。
【００１１】
さらに、画像処理回路２０においては、撮像した画像データを用いて所定の演算処理を行い、得られた演算結果に基づいてTTL方式のAWB（オートホワイトバランス）処理も行っている。
【００１２】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。
【００１３】
Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。
【００１４】
２４は画像表示メモリ、２６はＤ／Ａ変換器、２８はTFT LCD等から成る画像表示部であり、画像表示メモリ２４に書き込まれた表示用の画像データはＤ／Ａ変換器２６を介して画像表示部２８により表示される。画像表示部２８を用いて撮像した画像データを逐次表示すれば、電子ファインダー機能を実現することが可能である。
【００１５】
また、画像表示部２８は、システム制御回路５０の指示により任意に表示をON/OFFすることが可能であり、表示をOFFにした場合には撮像装置１００の電力消費を大幅に低減することができる。
【００１６】
３０は撮影した静止画像や動画像を格納するためのメモリであり、所定枚数の静止画像や所定時間の動画像を格納するのに十分な記憶量を備えている。これにより、複数枚の静止画像を連続して撮影する連射撮影やパノラマ撮影の場合にも、高速かつ大量の画像書き込みをメモリ３０に対して行うことが可能となる。また、メモリ３０はシステム制御回路５０の作業領域としても使用することが可能である。
【００１７】
３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。
【００１８】
４０は絞り機能を備えるシャッター１２を制御する露光制御手段であり、フラッシュ４８と連携することによりフラッシュ調光機能も有するものである。
４２は撮影レンズ１０のフォーカシングを制御する測距制御手段、４４は撮影レンズ１０のズーミングを制御するズーム制御手段、４６はバリアである保護手段１０２の動作を制御するバリア制御手段である。
【００１９】
４８はフラッシュであり、AF補助光の投光機能、フラッシュ調光機能も有する。露光制御手段４０、測距制御手段４２はTTL方式を用いて制御されており、撮像した画像データを画像処理回路２０によって演算した演算結果に基づき、システム制御回路５０が露光制御手段４０、測距制御手段４２に対して制御を行う。５０は撮像装置１００全体を制御するシステム制御回路、５２はシステム制御回路５０の動作用の定数、変数、プログラム等を記憶するメモリである。
【００２０】
５４はシステム制御回路５０でのプログラムの実行に応じて、文字、画像、音声等を用いて動作状態やメッセージ等を表示する液晶表示装置、スピーカー等の表示部であり、撮像装置１００の操作部近辺の視認し易い位置に単数或いは複数個所設置され、例えばLCDやLED、発音素子等の組み合わせにより構成されている。また、表示部５４は、その一部の機能が光学ファインダー１０４内に設置されている。
【００２１】
表示部５４の表示内容のうち、LCD等に表示するものとしては、動作モード表示、シングルショット/連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００及び２１０の着脱状態表示、通信I/F動作表示、日付・時刻表示等がある。
【００２２】
また、表示部５４の表示内容のうち、光学ファインダー１０４内に表示するものとしては、動作モード表示、合焦表示、手振れ警告表示、フラッシュ充電表示、シャッタースピード表示、絞り値表示、露出補正表示、等がある。５６は電気的に消去・記録可能な不揮発性メモリであり、例えばEEPROM等が用いられる。
【００２３】
６０、６２、６４及び７０は、システム制御回路５０の各種の動作指示を入力するための操作手段であり、スイッチやダイアル、タッチパネル、視線検知によるポインティング、音声認識装置等の単数或いは複数の組み合わせで構成される。ここで、これらの操作手段の具体的な説明を行う。
【００２４】
６０は電源スイッチであり、電源の投入、切断を行えるほか、電源が投入された状態で本スイッチを電源投入方向へ操作することで、自動静止画撮影モード、マニュアル静止画撮影モード、パノラマ撮影モード、動画撮影モード、再生モード、マルチ画面再生・消去モード、PC接続モード等の各機能モードを切り替えることができる。
【００２５】
６２はシャッタースイッチSW１で、不図示のシャッターボタンの操作途中でONとなり、AF（オートフォーカス）処理、AE（自動露出）処理、AWB（オートホワイトバランス）処理、ＥＦ（フラッシュプリ発光）処理等の動作開始を指示する。
【００２６】
６４はシャッタースイッチSW2で、不図示のシャッターボタンの操作完了でONとなり、撮像素子１２から読み出した信号をＡ／Ｄ変換器１６、メモリ制御回路２２を介してメモリ３０に画像データを書き込む露光処理、画像処理回路２０やメモリ制御回路２２での演算を用いた現像処理、メモリ３０から画像データを読み出し、圧縮・伸長回路３２で圧縮を行い、記録媒体２００或いは２１０に画像データを書き込む記録処理という一連の処理の動作開始を指示する。
【００２７】
７０は各種ボタンやタッチパネル等からなる操作部で、メニューボタン、セットボタン、マクロボタン、マルチ画面再生改ページボタン、フラッシュ設定ボタン、単写/連写/セルフタイマー切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付/時間設定ボタン、画像表示ON/OFFボタン、クイックレビューON/OFFボタン等がある。
【００２８】
８０は電源制御手段で、電池検出回路、DC-DCコンバータ、通電するブロックを切り替えるスイッチ回路等により構成されており、電池の装着の有無、電池の種類、電池残量の検出を行い、検出結果及びシステム制御回路５０の指示に基づいてDC-DCコンバータを制御し、必要な電圧を必要な期間、記録媒体を含む各部へ供給する。
【００２９】
８２はコネクタ、８４はコネクタ、８６はアルカリ電池やリチウム電池等の一次電池やNiCd電池やNiMH電池、Li電池等の二次電池、ACアダプター等からなる電源手段である。
【００３０】
９０及び９４はメモリカードやハードディスク等の記録媒体とのインターフェース、９２及び９６はメモリカードやハードディスク等の記録媒体と接続を行うコネクタ、９８はコネクタ９２及び或いはコネクタ９６に記録媒体２００或いは２１０が装着されているか否かを検知する記録媒体着脱検知手段である。
【００３１】
なお、本実施の形態では記録媒体を取り付けるインターフェース及びコネクタを２系統持つものとして説明している。もちろん、記録媒体を取り付けるインターフェース及びコネクタは、単数或いは複数、いずれの系統数を備える構成としても構わない。また、異なる規格のインターフェース及びコネクタを組み合わせて備える構成としても構わない。インターフェース及びコネクタとしては、PCMCIAカードやCF（コンパクトフラッシュ（Ｒ））カード等の規格に準拠したものを用いて構成して構わない。
【００３２】
さらに、インターフェース９０及び９４、そしてコネクタ９２及び９６をPCMCIAカードやCF（コンパクトフラッシュ（Ｒ））カード等の規格に準拠したものを用いて構成した場合、LANカードやモデムカード、USBカード、IEEE１394カード、P１284カード、SCSIカード、PHS等の通信カード、等の各種通信カードを接続することにより、他のコンピュータやプリンタ等の周辺機器との間で画像データや画像データに付属した管理情報を転送し合うことができる。１０２は、撮像装置１００のレンズ１０を含む撮像部を覆うことにより、撮像部の汚れや破損を防止するバリアである保護手段である。
【００３３】
１０４は光学ファインダーであり、画像表示部２８による電子ファインダー機能を使用すること無しに、光学ファインダーのみを用いて撮影を行うことが可能である。また、光学ファインダー１０４内には、表示部５４の一部の機能、例えば、合焦表示、手振れ警告表示、フラッシュ充電表示、シャッタースピード表示、絞り値表示、露出補正表示などが設置されている。
【００３４】
１１０は通信手段で、RS232CやUSB、IEEE１394、P１284、SCSI、モデム、LAN、無線通信、等の各種通信機能を有する。
１１２は通信手段１１０により撮像装置１００を他の機器と接続するコネクタ或いは無線通信の場合はアンテナである。
【００３５】
２００はメモリカードやハードディスク等の記録媒体である。記録媒体２００は、半導体メモリや磁気ディスク等から構成される記録部２０２、撮像装置１００とのインターフェース２０４、撮像装置１００と接続を行うコネクタ２０６を備えている。
【００３６】
２１０はメモリカードやハードディスク等の記録媒体である。記録媒体２１０は、半導体メモリや磁気ディスク等から構成される記録部２１２、撮像装置１００とのインターフェース２１４、撮像装置１００と接続を行うコネクタ２１６を備えている。
【００３７】
図２乃至図９を参照して、第１の実施の形態の動作を説明する。
図２は、本実施の形態の撮像装置１００動作手順を説明する主ルーチンのフローチャートを示す。以下に、図２を用いて、撮像装置１００の動作を説明する。
電源スイッチ６０が電源投入方向へ操作されたならば（ステップＳ１０１）、システム制御回路５０は所定の初期化処理を実行し（ステップＳ１０２）、不揮発性メモリ５６より動作モードを読み込む（ステップＳ１０３）。
【００３８】
次に、システム制御回路５０は、読み込んだ動作モードを判定し（ステップＳ１０４）、動作モード１であれば動作モード１処理（ステップＳ１０５）を実行し、動作モード２であれば動作モード２処理（ステップＳ１０６）を実行し、動作モード３であれば動作モード３処理（ステップＳ１０７）を実行する。ここで、電源スイッチ６０が操作されなければ（ステップＳ１０８，ステップＳ１１１）、ステップＳ１０４に戻る。
【００３９】
一方、ステップＳ１０８の判定の結果、電源スイッチ６０が電源を切断する方向へ操作されたならば、現在の動作モードを不揮発性メモリ５６に格納し（ステップＳ１０９）、所定の終了処理を行った後（ステップＳ１１０）、処理を終了する。
【００４０】
他方、ステップＳ１１１の判定の結果、電源スイッチ６０が電源投入方向へ操作されたならば、動作モード切り替え処理（ステップＳ１１２）を実行後、ステップＳ１０４に戻る。
【００４１】
図３乃至図９は、図２の動作モード切り替え処理（ステップＳ１１２）における詳細な手順を説明するフローチャートである。
図３は、図２の動作モード切り替え処理（ステップＳ１１２）において、静止画像を記録する静止画記録モードと、動画像を記録する動画記録モードを交互に切り替える際の詳細なフローチャートを示す。
【００４２】
システム制御回路５０は、現在の動作モードを判定し（ステップＳ１１３）、その判定した動作モードに応じて、現在の動作モードが静止画記録モードであれば動作モードを動画記録モードへ切り替える（ステップＳ１１４）。
【００４３】
一方、現在の動作モードが動画記録モードであれば動作モードを静止画記録モードへ切り替える（ステップＳ１１５）。これにより、動作中に電源スイッチ６０を電源投入方向へ操作することで、静止画記録モードと動画記録モードの間の動作モードの切り替えを簡単に行うことが可能となる。
【００４４】
図４は、図２の動作モード切り替え処理（ステップＳ１１２）において、静止画像を記録する静止画記録モードに、自動モードやマニュアルモード、パノラマモード等、複数の種類がある場合に、静止画記録モードと動画像を記録する動画記録モードとを交互に切り替える際の詳細な内容を説明するフローチャートである。
【００４５】
システム制御回路５０は、現在の動作モードを判定し（ステップＳ１１６）、判定の結果に応じて現在の動作モードが静止画記録モードであれば現在の静止画記録モードの種類を不揮発性メモリ５６へ格納し（ステップＳ１１７）、動作モードを動画記録モードへ切り替え（ステップＳ１１８）る。
【００４６】
一方、ステップＳ１１６の判定の結果、現在の動作モードが動画記録モードであれば、不揮発性メモリ５６に格納されている静止画記録モードの種類を読み出し（ステップＳ１１９）、動作モードを読み出した種類の静止画記録モードへ切り替える（ステップＳ１２０）。
【００４７】
これにより、動作中に電源スイッチ６０を電源投入方向へ操作することで、複数の種類からなる静止画記録モードと動画記録モードとの間の動作モードの切り替えを簡単に行うことが可能となる。このとき、静止画記録モードの種類の切り替えは、別途行うこととする。
【００４８】
図５は、図２の動作モード切り替え処理（ステップＳ１１２）において、画像を記録する記録モードと記録モードで記録した画像を再生する再生モードを交互に切り替える際の詳細な手順を説明するフローチャートである。
【００４９】
システム制御回路５０は、現在の動作モードを判定し（ステップＳ１２１）、その判定の結果に応じて、現在の動作モードが記録モードであれば動作モードを再生モードへ切り替え（ステップＳ１２２）、現在の動作モードが再生モードであれば動作モードを記録モードへ切り替える（ステップＳ１２３）。
【００５０】
これにより、動作中に電源スイッチ６０を電源投入方向へ操作することで、記録モードと再生モードとの間における動作モードの切り替えを簡単に行うことが可能となる。
【００５１】
図６は、図２の動作モード切り替え処理（ステップＳ１１２）において、画像を記録する記録モードに静止画像を記録する静止画記録モードや動画像を記録する動画記録モード等、複数の種類がある場合に、記録モードと、前記記録モードで記録した画像を再生する再生モードとを交互に切り替える際の詳細な手順を説明するフローチャートである。
【００５２】
システム制御回路５０は、現在の動作モードを判定し（ステップＳ１２４）、その判定の結果に応じて、現在の動作モードが記録モードであれば現在の記録モードの種類を不揮発性メモリ５６へ格納し（ステップＳ１２５）、動作モードを再生モードへ切り替え（ステップＳ１２６）る。
【００５３】
一方、ステップＳ１２４の判定の結果、現在の動作モードが再生モードであれば不揮発性メモリ５６に格納されている記録モードの種類を読み出し（ステップＳ１２７）、動作モードを読み出した種類の記録モードへ切り替える（ステップＳ１２８）。
【００５４】
これにより、動作中に電源スイッチ６０を電源投入方向へ操作することで、複数の種類からなる記録モードと再生モードとの間の動作モードの切り替えを簡単に行うことが可能となる。このとき、記録モードの種類の切り替えは、別途行うこととする。
【００５５】
図７は、図２の動作モード切り替え処理（ステップＳ１１２）において、静止画像を記録する静止画記録モード、動画像を記録する動画記録モード、記録した画像を再生する再生モードを切り替える際の詳細な手順を説明するフローチャートである。
【００５６】
システム制御回路５０は、現在の動作モードを判定し（ステップＳ１２９）、その判定の結果に応じて、現在の動作モードが静止画記録モードであれば動作モードを動画記録モードへ切り替え（ステップＳ１３０）る。また、現在の動作モードが動画記録モードであれば動作モードを再生モードへ切り替える（ステップＳ１３１）。さらに、現在の動作モードが再生モードであれば動作モードを静止画記録モードへ切り替える（ステップＳ１３２）。
【００５７】
これにより、動作中に電源スイッチ６０を電源投入方向へ操作することで、複数の動作モード間における動作モードの切り替えを簡単に行うことが可能となる。ここで、動作モードを切り替える順序は、固定順としても、使用者が任意に設定することが可能としても構わない。
【００５８】
さらに、切り替える動作モードの候補を、使用者が任意に設定することが可能としても構わない。また、切り替える動作モードは３種類に限らず、それより多くても少なくても構わない。
【００５９】
図８は、図２の動作モード切り替え処理（ステップＳ１１２）において、電源スイッチ６０を電源投入方向へ保持する時間により切り替える動作モードを選択する際の詳細な手順を説明するフローチャートである。
【００６０】
システム制御回路５０は、電源スイッチ６０が電源投入方向へ保持されている時間をカウントする（ステップＳ１３３，ステップＳ１３４）。その結果、保持時間が所定の時間ｔ１より短か否かを判定し（ステップＳ１３５）、短ければ動作モードを静止画記録モードへ切り替え（ステップＳ１３６）る。
【００６１】
一方、ステップＳ１３５の判定の結果、保持時間が所定の時間ｔ１よりも長い場合にはステップＳ１３７に進み、保持時間が所定の時間ｔ２より短か否かを判定する。この判定の結果、短かい場合には動作モードを動画記録モードへ切り替える（ステップＳ１３８）。
【００６２】
また、ステップＳ１３７の判定の結果、保持時間が所定の時間ｔ２より長ければ、動作モードを再生モードへ切り替える（ステップＳ１３９）。
【００６３】
なお、電源スイッチ６０を電源投入方向へ保持する時間に対する動作モードは、固定としても、使用者が任意に設定することが可能としても構わない。また、現在の動作モードに応じて、電源スイッチ６０を電源投入方向へ保持する時間に対する動作モードの組み合わせを変更するようにしても構わない。また、電源スイッチ６０を電源投入方向へ保持する時間を、固定値としても、使用者が任意に設定することが可能としても構わない。
【００６４】
さらに、電源スイッチ６０を電源投入方向へ保持している時間に応じ、切り替え後の動作モードをアイコンや文字、LED等を用いて画像表示部２８や表示部５４に簡易的に表示することにより、実際に動作モードを切り替える前に、切り替えようとする動作モードをあらかじめ使用者に通知することも可能である。また、切り替える動作モードは３種類に限らず、それより多くても少なくても構わない。
【００６５】
図９は、電源スイッチ６０を電源投入方向へ操作する回数により切り替える動作モードを選択する際の詳細な手順を説明するフローチャートである。
システム制御回路５０は、電源スイッチ６０が所定の時間ｔ３を空けずに連続して電源投入方向へ操作された回数をカウントする（ステップＳ１４０，ステップＳ１４１，ステップＳ１４２，ステップＳ１４３，ステップＳ１４４）。
【００６６】
この結果、操作回数が１回と判定したら（ステップＳ１４５）、動作モードを静止画記録モードへ切り替え（ステップＳ１４６）、操作回数が２回と判定したら（ステップＳ１４７）、動作モードを動画記録モードへ切り替え（ステップＳ１４８）る。さらに、操作回数が３回以上と判定したら（ステップＳ１４９）、動作モードを再生モードへ切り替える（ステップＳ１５０）。
【００６７】
なお、電源スイッチ６０を電源投入方向へ操作する回数に対する動作モードは、固定としても、使用者が任意に設定することが可能としても構わない。また、現在の動作モードに応じて、電源スイッチ６０を電源投入方向へ操作する回数に対する動作モードの組み合わせを変更するようにしても構わない。また、電源スイッチ６０を電源投入方向へ操作する回数を、固定値としても、使用者が任意に設定することが可能としても構わない。
【００６８】
さらに、電源スイッチ６０を電源投入方向へ操作する回数に応じ、切り替え後の動作モードをアイコンや文字、LED等を用いて画像表示部２８や表示部５４に簡易的に表示することにより、実際に動作モードを切り替える前に、切り替えようとする動作モードをあらかじめ使用者に通知することも可能である。また、切り替える動作モードは３種類に限らず、それより多くても少なくても構わない。
【００６９】
このように、本実施の形態によれば、撮像装置が動作中に、電源スイッチを電源投入方向へ操作するだけで、簡単に動作モードを切り替えることが可能となる。また、撮像装置の動作モードの切り替えに必要な操作部材を最小限の点数にすることが可能となる。
【００７０】
なお、実施の形態の説明に於いては、全ての動作モード切り替えを電源スイッチ６０を電源投入方向へ操作することで行うとして説明したが、多数の動作モードが存在する中で、すばやく再生モードや動画記録モード等の特定の動作モードへと切り替えたい場合は、特定モード専用のモードスイッチを別に設け、前記専用モードスイッチを操作することで特定の動作モードへ動作モードを切り替えても勿論問題ない。
【００７１】
この場合でも、特定の動作モードへ切り替える前の動作モードを不揮発性メモリ５６に記憶しておき、再び前記専用モードスイッチを操作するか、電源スイッチ６０を電源投入方向へ操作することで記憶した動作モードへ切り替えることが可能である。
【００７２】
（本発明の他の実施の形態）
本発明は複数の機器から構成されるシステムに適用しても１つの機器からなる装置に適用しても良い。
【００７３】
また、前述した実施の形態の機能を実現するように各種のデバイスを動作させるように、前記各種デバイスと接続された装置あるいはシステム内のコンピュータに対し、前記実施の形態の機能を実現するためのソフトウェアのプログラムコードを供給し、そのシステムあるいは装置のコンピュータ（ＣＰＵあるいはＭＰＵ）に格納されたプログラムに従って前記各種デバイスを動作させることによって実施したものも、本発明の範疇に含まれる。
【００７４】
また、この場合、前記ソフトウェアのプログラムコード自体が前述した実施の形態の機能を実現することになり、そのプログラムコード自体、およびそのプログラムコードをコンピュータに供給するための手段、例えばかかるプログラムコードを格納した記憶媒体は本発明を構成する。かかるプログラムコードを記憶する記憶媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
【００７５】
また、コンピュータが供給されたプログラムコードを実行することにより、前述の実施の形態で説明した機能が実現されるだけでなく、そのプログラムコードがコンピュータにおいて稼働しているＯＳ（オペレーティングシステム）あるいは他のアプリケーションソフト等の共同して前述の実施の形態で示した機能が実現される場合にもかかるプログラムコードは本発明の実施の形態に含まれることは言うまでもない。
【００７６】
さらに、供給されたプログラムコードがコンピュータの機能拡張ボードやコンピュータに接続された機能拡張ユニットに備わるメモリに格納された後、そのプログラムコードの指示に基づいてその機能拡張ボードや機能拡張ユニットに備わるＣＰＵ等が実際の処理の一部または全部を行い、その処理によって前述した実施の形態の機能が実現される場合にも本発明に含まれる。
【００７７】
【発明の効果】
以上説明してきたように、本発明によれば、撮像装置の電源が投入された後においては、電源スイッチを所定の方向へ操作することにより、第１の動作モードの状態で、前記撮像装置の電源投入を指示する動作がなされた場合に、前記第１の動作モードと異なる第２の動作モードに切り替わるようにしたので、動作モードを切り替える際の動作を、撮像装置の電源投入を指示する動作と兼用させることができ、これにより撮像装置の動作モードの切り替えに必要な操作部材を最小限の点数にすることができる。
また、本発明の他の特徴によれば、電源投入を指示するための電源スイッチの操作によって、静止画記録モードと動画記録モードとを切り替えることができるようにしたので、動作中における記録モード間の遷移を迅速かつ容易に行うことができ、操作性を格段に向上させることができるとともに、スイッチ数を削減することもでき、撮像装置の小型化、操作性向上、低コスト化に顕著な効果が得られる。
また、本発明のその他の特徴によれば、電源スイッチを一定時間以上空けずに、電源投入方向へ連続して操作する回数に対応する動作モードをあらかじめ指定できる等、電源スイッチの操作状態に応じて動作モードを選択することができ、操作性の向上に効果がある。また、実際に動作モードを切り替える前に、次に切り替える動作モードを確認しながら、動作モードを選択することができる。
【図面の簡単な説明】
【図１】本発明の一実施の形態の構成ブロック図である。
【図２】本実施の形態の主ルーチンの手順を説明するフローチャートである。
【図３】本実施の形態の動作モード切り替えルーチンの手順を説明するフローチャートである。
【図４】本実施の形態の動作モード切り替えルーチンの手順を説明するフローチャートである。
【図５】本実施の形態の動作モード切り替えルーチンの手順を説明するフローチャートである。
【図６】本実施の形態の動作モード切り替えルーチンの手順を説明するフローチャートである。
【図７】本実施の形態の動作モード切り替えルーチンの手順を説明するフローチャートである。
【図８】本実施の形態の動作モード切り替えルーチンの手順を説明するフローチャートである。
【図９】本実施の形態の動作モード切り替えルーチンの手順を説明するフローチャートである。
【符号の説明】
１０  撮影レンズ
１２  シャッター
１４  撮像素子
１６  Ａ／Ｄ変換器
１８  タイミング発生回路
２０  画像処理回路
２２  メモリ制御回路
２４  画像表示メモリ
２６Ｄ／Ａ変換器
２８  画像表示部
３０  メモリ
３２  画像圧縮・伸長回路
４０  露光制御手段
４２  測距制御手段
４４  ズーム制御手段
４６  バリア制御手段
４８  フラッシュ
５０  システム制御回路
５２  メモリ
５４  表示部
５６  不揮発性メモリ
６０  電源スイッチ
６２  シャッタースイッチ
６４  シャッタースイッチ
７０  操作部
８０  電源制御手段
８２  コネクタ
８４  コネクタ
８６  電源手段
９０  インターフェース
９２  コネクタ
９４  インターフェース
９６  コネクタ
９８  記録媒体着脱検知手段
１００  撮像装置
１０２  保護手段
１０４  光学ファインダー
１１０  通信手段
１１２  コネクタ（アンテナ）
２００  記録媒体
２０２  記録部
２０４  インターフェース
２０６  コネクタ
２１０  記録媒体
２１２  記録部
２１４  インターフェース
２１６  コネクタ
【図１】
0003697215.tif 000002
【図２】
0003697215.tif 000003
【図３】
0003697215.tif 000004
【図４】
0003697215.tif 000005
【図５】
0003697215.tif 000006
【図６】
0003697215.tif 000007
【図７】
0003697215.tif 000008
【図８】
0003697215.tif 000009
【図９】
0003697215.tif 000010